(57)【要約】【課題】浴室内の壁面や天井等の洗浄を、シャワーヘッドを交換することによって簡単に行うことができるようにすることにある。【解決手段】浴室用のシャワーホースに着脱自在に連結されるシャワーヘッドであって、基端側に上記シャワーホースが連結される導入口３が設けられ、先端側にシャワー水が放出される散水孔４が配されたボディ２と、導入口３と散水孔４を結ぶように延びる通水路５と、通水路５中に着脱自在に配置されカートリッジ３０と、カートリッジ３０内に収容されて導入口３から供給された水道水に溶出される洗浄剤４０とを有する。【選択図】図３
2017046795.tif 000002
【特許請求の範囲】
【請求項１】
浴室用のシャワーホースに着脱自在に連結されるシャワーヘッドであって、
上記シャワーヘッドは、基端側に上記シャワーホースが連結される導入口が設けられ、先端側にシャワー水が放出される散水孔が配されたボディと、該ボディの内部を導入口と散水孔を結ぶように延びる通水路と、通水路中に着脱自在に配置され、ボディに形成された被係止部に係止する係止部を備えたカートリッジと、カートリッジ内に収容されて導入口から供給された水道水に溶出される洗浄剤とを有する、
ことを特徴とするシャワーヘッド。
【請求項２】
上記洗浄剤は、微生物が添加された固形状を成している、
ことを特徴とする請求項１に記載のシャワーヘッド。
【請求項３】
上記カートリッジは、両端が開口する円筒形状に形成され、該カートリッジの基端の開口は上記導入口に向けて配され、先端の開口は上記散水孔に向けて配されていて、該カートリッジの内周壁で囲まれた収容空間に上記洗浄剤が棒状体を成して収容されている、
ことを特徴とする請求項２に記載のシャワーヘッド。
【請求項４】
上記ボディは、上記導入口を有するグリップ部と上記散水孔を有するヘッド部とを有していて、該グリップ部とヘッド部とは同一軸線上で着脱可能に連結され、上記散水孔はヘッド部の前面にボディの前方に向けて開口し、上記グリップ部とカートリッジとは上記軸線に沿って直線状に延びると共に互いに同心状に配設され、カートリッジに形成された上記係止部がグリップ部に形成された被係止部に係止されている、
ことを特徴とする請求項１−３の何れかに記載のシャワーヘッド。
【請求項５】
上記グリップ部は、基端側に底部を有し先端側が開放した有底筒状に形成されており、該底部に上記導入口と通水路とを連通する複数の入水孔が穿設され、また、これら入水孔の周囲に上記被係止部が形成されると共に、該底部に上記カートリッジの基端が着座した状態で該カートリッジの係止部がこの被係止部に係止される、
ことを特徴とする請求項４に記載のシャワーヘッド。
【請求項６】
上記係止部は、カートリッジの基端側の外周に形成された周方向に延びる凹部によって構成され、また、上記被係止部は、上記底部から先端側に向けて立設されて上記軸線を囲む複数の立壁部と、該立壁部から径方向内部に突設された内向き突部とから構成されており、該内向き突部が上記凹部に対して弾性的に係止されている、
ことを特徴とする請求項５に記載のシャワーヘッド。
【請求項７】
上記カートリッジの軸線方向長さは、該カートリッジの端部がグリップ部の底部に着座した状態で、該グリップ部の先端よりも突出する長さに形成されている、
ことを特徴とする請求項４−６に記載のシャワーヘッド。
【発明の詳細な説明】
【技術分野】
【０００１】
本発明は、給水源に接続された既存のシャワーヘッドと交換可能なシャワーヘッドに関するものであって、特に、浴室内洗浄用のシャワーヘッドに関するものである。
【背景技術】
【０００２】
従来から、一般家庭の浴室や温浴施設等で使用されている浴室用のシャワー装置は、例えば、特許文献１に示すように、給水源（水栓）に連結されたシャワーホースにシャワーヘッドを接続したもので、このシャワーヘッドからシャワー水を身体に浴びたり、このシャワー水を用いて浴室内の洗浄を行うように構成されている。
【０００３】
ところが、従来のシャワー装置を用いて浴室内の洗浄を行う際には、別に用意した洗剤を壁面や天井等に塗布してこする等して汚れを落としたあと、上記シャワーヘッドから水道水を噴射して洗剤や汚れ等を洗い流すといった作業を行わなければならないため、作業が面倒で手間がかかっていた。
【先行技術文献】
【特許文献】
【０００４】
【特許文献１】特開平１１-２９０２３２号公報
【発明の概要】
【発明が解決しようとする課題】
【０００５】
そこで、本発明の技術的課題は、浴室内の壁面や天井等の洗浄を、シャワーヘッドを交換することによって簡単に行うことができるようにすることにある。
【課題を解決するための手段】
【０００６】
上記目的を達成するため、本発明によれば、浴室用のシャワーホースに着脱自在に連結されるシャワーヘッドであって、上記シャワーヘッドは、基端側に上記シャワーホースが連結される導入口が設けられ、先端側にシャワー水が放出される散水孔が配されたボディと、該ボディの内部を導入口と散水孔を結ぶように延びる通水路と、通水路中に着脱自在に配置され、ボディに形成された被係止部に係止する係止部を備えたカートリッジと、カートリッジ内に収容されて導入口から供給された水道水に溶出される洗浄剤とを有する、
ことを特徴とするシャワーヘッドが提供される。
【０００７】
本発明において、上記洗浄剤は、微生物が添加された固形状を成していることでもよい。
このとき、上記カートリッジは、両端が開口する円筒形状に形成され、該カートリッジの基端の開口は上記導入口に向けて配され、先端の開口は上記散水孔に向けて配されていて、該カートリッジの内周壁で囲まれた収容空間に上記洗浄剤が棒状体を成して収容されていることが好ましい。
【０００８】
また、上記ボディは、上記導入口を有するグリップ部と上記散水孔を有するヘッド部とを有していて、該グリップ部とヘッド部とは同一軸線上で着脱可能に連結され、上記散水孔はヘッド部の前面にボディの前方に向けて開口し、上記グリップ部とカートリッジとは上記軸線に沿って直線状に延びると共に互いに同心状に配設され、カートリッジに形成された上記係止部がグリップ部に形成された被係止部に係止されていることでもよい。
このとき、上記グリップ部は、基端側に底部を有し先端側が開放した有底筒状に形成されており、該底部に上記導入口と通水路とを連通する複数の入水孔が穿設され、また、これら入水孔の周囲に上記被係止部が形成されると共に、該底部に上記カートリッジの基端が着座した状態で該カートリッジの係止部がこの被係止部に係止されることが好ましい。
さらに、上記係止部は、カートリッジの基端側の外周に形成された周方向に延びる凹部によって構成され、また、上記被係止部は、上記底部から先端側に向けて立設されて上記軸線を囲む複数の立壁部と、該立壁部から径方向内部に突設された内向き突部とから構成されており、該内向き突部が上記凹部に対して弾性的に係止されていることが、より好ましい。
【０００９】
また、上記カートリッジの軸線方向長さは、該カートリッジの端部がグリップ部の底部に着座した状態で、該グリップ部の先端よりも突出する長さに形成されていることでもよい。
【発明の効果】
【００１０】
本発明のシャワーヘッドは、浴室内のシャワー装置に接続された既存のシャワーヘッドと交換して使用することで、浴室内の壁面や天井等の洗浄を簡単に行うことができる。
【図面の簡単な説明】
【００１１】
【図１】本発明のシャワーヘッドの一実施形態を示す概略斜視図である。
【図２】図１の概略平面図である。
【図３】図１の概略縦断面図である。
【図４】本発明のグリップ部を示す概略斜視図である。
【図５】上記グリップ部の概略側面図である。
【図６】図５のＡ−Ａ線に沿った概略縦断面図である。
【図７】グリップ部の底部を示す概略平面図である。
【図８】本発明のカートリッジを示す概略斜視図である。
【図９】上記カートリッジの概略縦断面図である。
【図１０】洗浄剤を示す概略斜視図である。
【図１１】カートリッジをグリップ部内の通水路中に挿通した状態を示す概略縦断面図である。
【図１２】グリップ部の底部周辺を示す概略部分拡大断面図であり、右半部がカートリッジ装着後の状態を示し、左半部がカートリッジ装着前の状態を示すものである。
【図１３】散水板を取り外したヘッド部の概略平面図である。
【発明を実施するための形態】
【００１２】
図１−図１３は、本発明に係るシャワーヘッドの一実施形態を示すものである。このシャワーヘッド１は、給水源に接続されるシャワーホースに連結され、該シャワーホースを通じて給水される湯水を外部に散水させるものであり、特に、浴室内に備えられた既存のシャワーヘッドと交換して、該浴室内を洗浄する事を目的として、主として用いられるものである。
【００１３】
上記シャワーヘッド１は、図３に示すように、基端側に上記シャワーホースが連結される導入口３が設けられ、先端側にシャワー水が放出される散水孔４が配された直線状に延びる筒形のボディ２と、このボディ２内には、導入口３と散水孔４との間を結びシャワーホースから供給される水道水の通水路５と、該通水路５中に着脱自在に配置され、上記ボディ２に形成された被係止部１６に係止される係止部３２を有するカートリッジ３０と、このカートリッジ３０内に収容されて上記導入口３から導入された水道水に溶出される洗浄剤４０とを有している。
【００１４】
上記ボディ２は、ＡＳＡ樹脂などの熱可塑性樹脂を用いてインジェクション成型で成型されていて、図３に示すように、軸線Ｌ方向に延びる細長い略Ｉ字状の外観形状を成しており、散水孔４が配された先端側に向かうに従って先広がりを成す外観形状を有している。
【００１５】
図１または図３に示すように、上記ボディ２は、上記導入口３を有するグリップ部２Ａと散水孔４を有するヘッド部２Ｂとからなり、上記グリップ部２Ａの先端に上記ヘッド部２Ｂがねじ結合されることにより、同じ軸線Ｌ上に着脱自在に連結されている。これらグリップ部２Ａとヘッド部２Ｂとの外周面は滑らかに連なっている。なお、グリップ部２Ａとヘッド部２Ｂとの間には、図示しないＯリング等のシール材が介設されて、これらの間の水密性が確保されている。
【００１６】
図６に示すように、上記グリップ部２Ａは、基端側に底部６を有し先端側が開放した有底筒状に形成されており、内周壁で囲まれた空間が上記カートリッジ３０が収容される収容空間を兼用する上記通水路５に形成されている。グリップ部２Ａには、基端に上記導入口３を有するシャワーホースと接続される接合部７が設けられており、この接合部７は、ボディ２の上記軸線Ｌと同軸上に配されている。上記接合部７は、シャワーホースの端部に設けられた雌螺子を有する継手等の接合具（図示略）と接合される雄螺子を有し、これらが螺合されることで、グリップ部２Ａとシャワーホースとが連結されるように構成されている。また、グリップ部２Ａは、開口する先端側の内周壁に、上記ヘッド部２Ｂと連結するための雌螺子が形成された連結部８が設けられ、該ヘッド部２Ｂに設けられた雄螺子と螺合されるように構成されている。
【００１７】
図４及び図５に示すように、グリップ部２Ａの外周面には、周方向に延びる複数の外周溝９が形成されていて、基端寄りの位置に２つの外周溝９が軸線Ｌ方向に並び、先端寄りの位置に４つの外周溝９が該軸線Ｌ方向に等間隔に並んでいる。これら基端側の外周溝と先端側の外周溝との間にはくびれ部１０が設けられ、使用者がグリップ部２Ａを握ったときに握り易い形状を成している。また、グリップ部２Ａの基端側の外周には、上記接合部７と基端側の外周溝９との間に吊掛孔１１ａを有する吊掛環１１が形成され、例えば、浴室内の壁面に設けられたフック等に該吊掛孔１１ａを通すことでシャワーヘッド１が吊り掛けられる。
【００１８】
図６及び図７、図１２に示すように、このグリップ部２Ａの上記底部６には、上記導入口３と通水路５とを連通する複数の入水孔１２が穿設されている。図７に示すように、上記底部６には、径方向略中央に位置する平面視略矩形板状の中央底部１３と、該中央底部１３の四角部に配置され、上記カートリッジ３０の基端が着座するシート部１４とが上記導入口３の開口上に設けられている。上記入水孔１２は、この中央底部１３の板厚方向に貫通して形成されている。また、上記入水孔１２は、略方形状を有しており、格子状を成すように規則的に複数（本実施形態では９つ）配列されている。なお、上記底部６は、導入口３の開口縁に沿って周方向で隣り合う２つのシート部１４，１４間に上記導入口３と通水路５とを連通する連通孔１５が形成されている。
【００１９】
また、上記入水孔１２の周囲には、上記カートリッジ３０の係止部３２に係止される上記被係止部１６が形成されている。具体的に、この被係止部１６は、上記底部６から先端側に向けて立設されて上記軸線Ｌを囲む複数の立壁部１６ａと、該立壁部１６ａから径方向内側に突設された内向き突部１６ｂとから構成されていて、図７に示すように、複数の立壁部１６ａは、上記シート部１４よりも径方向外側の位置で、上記導入孔３の開口縁に沿って等間隔に配されている。また、立壁部１６ａの内壁及び外壁は、それぞれ円弧面状を成して形成され、複数の立壁部１６ａの内壁で区画された部分にカートリッジの基端側が収容されるように成っている。なお、立壁部１６ａの内壁の曲率はカートリッジ３０の基端側の外周面の曲率と略同一に形成されている。
【００２０】
上記内向き突部１６ｂは、立壁部１６ａの先端側（グリップ部２Ａの先端側）に設けられており、該立壁部１６ａの内壁から内方に向けて突設され、複数の立壁部１６ａのうち、周方向で９０度異なる位置に立設された４つの立壁部１６ａに形成されている。また、内向き突部１６ｂは、先端が丸められた断面略半円形状を成していると共に、上記立壁部１６ａの先端は面取りが施されている（図１２の左半部参照）。
【００２１】
なお、図６及び図７、図１２に示すように、上記底部６には、上記立壁部１６ａよりも径方向外側に４つのリブ１７が設けられており、これらリブ１７は、周方向で９０度ずつ異なる位置に形成されている。上記リブ１７は、上記立壁部１６ａよりも先端側に突出されており、上記カートリッジ３０を被係止部１６に取り付ける際の位置決めとして機能する。
【００２２】
図８及び図９に示すように、上記カートリッジ３０は、両端に開口を有する略円筒形状を成して形成されていて、該カートリッジ３０の内周壁で形成された収容空間３１内に上記洗浄剤４０が収容され、また、図３及び図１２の右半部に示すように、上記カートリッジ３０は、上記グリップ部２Ａ内の通水路５に、その基端側の開口３０ａが上記導水口３側に向けて配置されると共に、先端側の開口３０ｂが上記散水孔４側に向けて配置されていて、該カートリッジ３０の基端側の端面（開口３０ａの縁部）が、上記グリップ部２Ａの底部６に形成された４つの上記シート部１４に着座させて配設されていることで、導水口３から供給された水道水が、入水口１２を通過して該カートリッジ３０の収容空間３１に通水されるように構成されている。なお、このカートリッジ３０は、上記ボディ２と同様に、ＡＳＡ樹脂を用いてインジェクション成型されている。
【００２３】
また、カートリッジ３０の上記係止部３２は、該カートリッジ３０の基端側の外周に設けられた凹部３３を有している。上記凹部３３は、上記カートリッジ３０の周方向に延設されており、このカートリッジ３０の基端側の端面がシート部１４に着座された状態で、立壁部１６ａに設けられた内向き突部１６ｂに弾性的に係止されている。また、この凹部３３は弧状の断面形状を有するように形成されており、円弧状を成す上記内向き突部１６ｂが嵌合されるように成っている。また、図９に示すように、上記カートリッジ３０は、上記凹部３３を境として軸方向基端側の板厚が先端側の板厚よりも薄く成っており、それにより、係止部３２の外径が小さく形成されている。また、本実施形態では、上記カートリッジ３０の軸線Ｌ方向長さは、シート部１４に着座した状態で、該カートリッジ３０の先端側の端面が、上記グリップ部２Ａの先端側に位置する開口縁よりも突出する長さに形成されている。
【００２４】
図１０に示すように、上記洗浄剤４０は、固形化された断面略円形の棒状を成していて、上記カートリッジ３０の収容空間３１内に収まる直径を有し、また、カートリッジ３０の軸方向長さと略同一程度の軸方向長さに形成されている。この洗浄剤４０には１種又は２種以上の所定の微生物が含有されている。洗浄剤４０に含有される微生物の種類としては、例えば、浴室内に付着した汚れ、ぬめり、動物油脂や植物油脂、悪臭等を分解・除去する微生物等が挙げられる。導入口３から入水孔１２を通過してカートリッジ３０内に供給された水道水は、この洗浄剤４０に接触することで該洗浄剤４０が水道水中に溶出し、混合されたシャワー水が上記ヘッド部２Ｂ内の通水路２０へと供給される。なお、微生物の量については、固形洗浄剤として成形できれば特に限定されるものではなく、また、上記洗浄剤４０は、上記微生物の他に、必要に応じて界面活性剤等が配合されていてもよく、或いは、香料等の成分が配合されていてもよい。
【００２５】
上記カートリッジ３０をグリップ部２Ａに取り付ける場合は、グリップ部２Ａの連結部８とヘッド部２Ｂの連結部２１との螺合を解除してヘッド部２Ｂをグリップ部２Ａから取り外し、グリップ部２Ａ内の空間（通水路５）に、上記カートリッジ３０の凹部３３が設けられた基端側を上記底部６に臨ませた状態で挿通させる（図１１参照）。このとき、上記カートリッジ３０は、底部６からグリップ部２Ａの先端側に突出する上記リブ１７によって被係止部１６への挿通がガイドされる。さらにカートリッジ３０を底部６側に挿通させると、該カートリッジ３０の基端が、グリップ部２Ａに設けられた内向き突部１６ｂの円弧面に乗り上がり、該内向き突部１６ｂが形成された立壁部１６ａが撓んで径方向外側に向けて弾性変形する。
そして、上記カートリッジ３０の基端側の端面が、底部６に設けられたシート部１４に着座されたとき、上記立壁部１６ａが弾性復帰することで、内向き突部１６ｂに凹部３３が係止され、上記カートリッジ３０がグリップ部２Ａの底部６に取り付けられる（図１２の右半部参照）。
【００２６】
既設のカートリッジを新しいカートリッジ３０に交換する際には、上述したように、ヘッド部２Ｂをグリップ部２Ａから取り外し、内向き突部１６ｂを有する立壁部１６ａの弾性を利用して、カートリッジ３０の凹部３３を内向き突部１６ａから離脱させる。このとき、上記内向き突部１６ａは返しを設けることなく先端が丸められた形状を成していることで、例えば、工具等の先端を差し込んで立壁部１６ａを径方向外側に押し広げたりすることなく、グリップ部２Ａの開口側に向けて引っ張ることで、カートリッジ３０の係止状態を解除することができる。そして、上述した手順によって、新しいカートリッジ３０がグリップ部２Ａに取り付けられるように構成されている。なお、上記カートリッジ３０は、取付状態にあるときに、カートリッジ３０の先端がグリップ部２Ａの先端側（開口側）の端面よりも突出しているため、該カートリッジ３０が掴み易く、上記取付・取外作業をスムーズに行うことができる。
【００２７】
図３に示すように、上記ヘッド部２Ｂは、内部中空の先広がりの円筒状を成し、その内部には、水道水中に洗浄剤４０が溶出されたシャワー水が通水されるヘッド側の通水路２０が設けられている。また、上記ヘッド部２Ｂは、基端側に上記グリップ部２Ａの雌螺子に螺合される雄螺子を有する連結部２１が設けられている。
【００２８】
図３に示すように、上記ヘッド部２Ｂは、上記ヘッド側の通水路２０中に隔壁部２２が配置されていて、この隔壁部２２を介して、上流側（グリップ部２Ａ側）に位置する小径部２０ａと、上流側（散水孔３側）に位置して小径部２０ａに比べて通路面積が大きい大径部２０ｂとに区画されている。また、上記隔壁部２２には、該隔壁部２２の板厚方向に貫通する通水孔２３が穿設されており、図１３に示すように、該通水孔２３は周方向に等間隔を有して複数配置されている（本実施形態では６つ）。この通水孔２３は平面視が略楕円形を成していて、該通水孔２３を通じて上記小径部２０ａと大径部２０ｂとが連通されている。また、隔壁部２２の略中央位置には軸線Ｌ方向に延びるボス部２４が突設されていて、後述の散水板２７を取り付けるための螺子孔２５が形成されている。
【００２９】
図１−図３に示すように、上記ヘッド部２Ｂの先端に位置する吐出口２６には、上記散水孔３を備えた散水板２７が設けられている。この散水板２７は平面視円形状を成す平坦な板であって、その外周縁にはヘッド部２Ｂの基端側に延びると共に径方向内側に傾斜する脚部２７ａが設けられ、上記吐出口２６の先広がり形状を成す内周壁に嵌合されるようになっている。上記散水板２７は、略中央部に螺子孔２７ｂが形成されており、該螺子孔２７ｂとボス部２４の螺子孔２５とを一致させてねじ２８でねじ止めされることで、ヘッド部２Ｂに取り付けられている。この取付状態で上記散水板２７は上記軸線Ｌと略直交する面に沿って配置されている。
上記散水孔４は、上記散水板２７の板面を板厚方向に貫通することで形成されていて、該散水板２７上に複数分散されて配置されている。上記散水孔４は、ボディ２の上記軸線Ｌに沿って該ボディ２の前方に開口されていることで、上記シャワー水がボディ２の前方に散水されるように構成されている。この場合、上記散水孔４は、軸線Ｌ方向と平行に開口されていてもよいし、該軸線Ｌと交差するように開口されていてもよい。散水孔４を、軸線Ｌと交差するように開口させる場合には、軸線Ｌに近い散水孔４の該軸線Ｌの交差角度は小さくし、軸線Ｌから遠ざかるに従って交差角度を大きくしてシャワー水が先広がり状に散水されるように構成されていてもよい。或いは、上記交差角度を逆向きにすることによって、散水されるシャワー水が集束するように構成されていてもよい。
また、図３に示すように、この散水孔４は裏面側（グリップ部２Ａ側）から表面側に向かうに従い孔径が絞られた先細りした形状を有している。なお、散水板２７は、シール部材によって水密性が確保された状態で吐出口２６に取り付けられることでもよい。
【００３０】
本実施形態に係るシャワーヘッド１を用いて浴室内を洗浄する場合は、まず、既設のシャワーヘッドをシャワーホースから取り外し、グリップ部２Ａの接合部７とシャワーホースの端部に設けられた継手等の接合具と連結させる。シャワーホースに連結された水栓を開けると、水道水が導入口３に導入され、底部６に開通された入水孔１２を介してグリップ部２Ａ内の通水路５中に入水される。上記通水路５中には上記カートリッジ３０が配置されており、通水路５を通過する水道水が、カートリッジ３０の内部の洗浄剤４０に接触し、該洗浄剤４０が水道水中に溶出する。そして、洗浄剤４０と混合されたシャワー水は、ヘッド部２Ｂ内の小径部２０ａから隔壁部２２の通水孔２３を通過して、大径部２０ｂ内に通水されることで散水板２７の全面に水が行き渡るように流れが広げられ、複数の散水孔４から外部に散水される。
【００３１】
本実施形態のシャワーヘッド１は、上記散水孔４が、直線状に延びるボディ２の軸線Ｌに沿って該ボディ２の前方に向かって開口され、上記シャワー水がボディ２の前方に散水されるように構成されている為、浴室内の離れた壁面や天井等の上方に位置する箇所に対して散水する場合であっても、従来のように、シャワーヘッドを傾ける（反らす）ことなく、ボディ２の前方側を洗浄対象箇所に向ければ散水孔４が対象箇所に向くので、該洗浄対象箇所に向けて的確に散水することができる。また、本実施形態のシャワーヘッド１は、水道水と微生物が添加された洗浄剤４０とが混合されて、浴室内の汚れ、悪臭等を除去する性質を備えるシャワー水が散水されることから、シャワー水のみでも洗浄効果に優れており、既存のシャワーヘッドと交換して使用するだけで、浴室内の洗浄を効果的且つ簡単に行うことができる。また、上記微生物が添加された洗浄剤４０がボディ２内に配されていることにより、例えば、洗浄剤４０が溶出されたシャワー水がボディ２内に残存された場合であっても、該ボディ２内のカビの繁殖や、水垢等の汚れの発生が可及的に抑制される。
【００３２】
なお、本実施形態では、上記散水板２７がボディ２の軸線Ｌと直交する平担面を成すように形成されているが、これに限らず、例えば、湾曲面を成す板体に形成されていてもよい。また、上記洗浄剤４０が上記カートリッジ３０の軸方向長さと略一致する長さに形成されているが、該カートリッジ３０の収容空間３１に収容されていればよく、該軸方向長さよりも短く形成されていても、或いは長く形成されていてもよい。
【００３３】
以上、本発明に係るシャワーヘッドについて説明してきたが、本発明は上記の実施形態に限定されることなく、特許請求の範囲の趣旨を逸脱しない範囲で様々な設計変更が可能であることは言うまでもない。
【符号の説明】
【００３４】
１      シャワーヘッド
２      ボディ
２Ａ    グリップ部
２Ｂ    ヘッド部
３      導入口
４      散水孔
５      通水路
６      底部
１６    被係止部
１６ａ  立壁部
１６ｂ  内向き突部
３０    カートリッジ
３１    収容空間
３２    係止部
３３    凹部
４０    洗浄剤
【図１】
2017046795.tif 000003
【図２】
2017046795.tif 000004
【図３】
2017046795.tif 000005
【図４】
2017046795.tif 000006
【図５】
2017046795.tif 000007
【図６】
2017046795.tif 000008
【図７】
2017046795.tif 000009
【図８】
2017046795.tif 000010
【図９】
2017046795.tif 000011
【図１０】
2017046795.tif 000012
【図１１】
2017046795.tif 000013
【図１２】
2017046795.tif 000014
【図１３】
2017046795.tif 000015